(57)【要約】      （修正有）【課題】取付手順が簡易で取り付けのコストが安価であり、しかも地震等の大きな揺れによっても天井材が落下し難い天井材の取付構造を提供する。【解決手段】複数の固定部材１１が野縁受け３の予め決められた所定位置に逆Ｕ字状に被せられて挟み付けられる。固定部材１１に沿って連結部材２１が配置され、一対の内フランジ部２５が固定部材１１の係合凹部１５に挿嵌されることにより、固定部材１１に取り付けられる。互いに対向する一対の連結部材２１間には、断熱材からなる複数の長尺状の長方形の天井材５が挿嵌され、その上面の一部にて野縁受け３の係合片にジェル状の接着剤６により貼り付けられる。連結部材２１の下端側開口には、長尺のＬＥＤ照明部材３１がワンタッチで簡単に取り付けられる。【選択図】図３
0003172917.tif 000002
【実用新案登録請求の範囲】
【請求項１】
天井から垂下する複数の吊りボルトの下端に取り付けられて水平状態で互いに平行に配設される複数の野縁受けの下端側にて、整列配置された断熱材からなる複数の長方形の天井材が支持されてなるシステム天井であって、
互いに対向すると共に一端側の幅方向両側に係合凹部を有する一対の挟持片と、該一対の挟持片の他端側を連結する連結片とにより縦長のＵ字状に形成された固定部材が、前記複数の野縁受けの所定位置にそれぞれ被せられて一対の挟持片で挟んで該野縁受けに固定されて、前記係合凹部が該野縁受け下方に突出しており、
互いに間隔を隔てて対向する長尺状の矩形板材である一対のベース板部と、該一対のベース板部間を幅方向中間にて連結する補強板部と、前記一対のベース板部の幅方向一側縁にて該ベース板部の外方に垂直に延びる一対の上フランジ部と、該上フランジ部の反対側に延びて両内側縁間に長手方向に延びる隙間が配設された一対の内フランジ部と、前記一対のベース板部の幅方向他側縁にて該ベース板部の外方に垂直に延びる一対の下フランジ部とを設けた複数の連結部材が、前記一対の内フランジ部にて前記一対の係合凹部に挿嵌されることにより前記固定部材に支持されて、前記野縁受けに対して直交して延設され、
前記連結部材間にて、前記上フランジ部と下フランジ部との間に前記天井材が両側縁にて挿嵌されて支持されることを特徴とするシステム天井における天井材の取付構造。
【請求項２】
前記連結部材の下フランジ部側にて、長尺板状の被覆部材が該連結部材に一体又は別体で取り付けられることを特徴とする請求項１に記載のシステム天井における天井材の取付構造。
【請求項３】
前記連結部材のベース板部の下側縁にて該ベース板部の内方に突出する係止突起を設け、前記被覆部材が、一表面の幅方向両側にて突出して長手方向に延びた弾性変形可能な一対の係止爪を設け、該一対の係止爪を前記係止突起に着脱可能に係止させることにより前記連結部材に取り付けられることを特徴とする請求項２に記載のシステム天井における天井材の取付構造。
【請求項４】
前記被覆部材が照明部材であることを特徴とする請求項２又は３に記載のシステム天井における天井材の取付構造。
【考案の詳細な説明】
【技術分野】
【０００１】
本考案は、体育館、工場、オフィスビル等の大規模空間の天井面を構成するシステム天井における天井材の取付構造に関する。
【背景技術】
【０００２】
従来のシステム天井としては、例えば特許文献１に示すグリッドシステム天井が知られている。このシステム天井においては、格子状に組まれた天井枠材と、天井枠材によって組まれた格子の開口部を閉じるように天井枠材間に架設された天井板と、この天井板が架設された天井枠材を吊り下げる吊り持ち手段を構成する吊りボルト、調節ハンガー、野縁受け、及びチャンネルクリップと、天井枠材の長手方向における端部に取り付けられてシステム天井用クリップとを含んでいる。この天井枠材はいわゆるＴバーと言われ、金属製で断面が逆Ｔ字状に形成されている。天井枠材は長手方向に沿って直立するウェブと、ウェブの下縁から両側に張り出したフランジ部と、ウェブの上縁から両側に張り出した断面矩形の頭部とを備えている。複数本の天井枠材が壁部材と直交するように配置され、この天井枠材に対して直交するように複数の天井枠材が配置されることによって、略正方形の複数の開口部が構成される。この開口部に天井板が嵌め合わされる。
【先行技術文献】
【特許文献】
【０００３】
【特許文献１】特開２０１０−１３３１９６号公報
【０００４】
しかし、このシステム天井では、天井枠材をチャンネルクリップを介して野縁受けに取り付けながら、天井枠材の開口部に天井材を架設する必要があり、天井材の取り付けの手間を要し、取り付けコストが高価であった。また、天井材は、天井枠材の下フランジ部に引っ掛けられた状態で取り付けられているため、地震等の大きな揺れにより天井枠材から外れて落下しやすいという問題がある。また、近年のＬＥＤ照明のような小型軽量で長寿命の照明装置の普及により、システム天井にも照明装置の設置が求められているが、上記取付構造を含む既存のシステム天井に新たに照明装置を取り付けることは容易ではない。
【考案の概要】
【考案が解決しようとする課題】
【０００５】
本考案は、上記問題を解決しようとするもので、取付手順が簡易で取り付けのコストが安価であり、しかも地震等の大きな揺れによっても落下し難いシステム天井における天井材の取付構造を提供することを目的とする。また、本考案は、天井材にＬＥＤ照明等の照明部材を簡易に取り付けられる天井材の取付構造を提供することを他の目的とする。
【課題を解決するための手段】
【０００６】
本考案の構成上の特徴は、天井から垂下する複数の吊りボルトの下端に取り付けられて水平状態で互いに平行に配設される複数の野縁受けの下端側にて、整列配置された断熱材からなる複数の長方形の天井材が支持されてなるシステム天井であって、互いに対向すると共に一端側の幅方向両側に係合凹部を有する一対の挟持片と、一対の挟持片の他端側を連結する連結片とにより縦長のＵ字状に形成された固定部材が、複数の野縁受けの所定位置にそれぞれ被せられて一対の挟持片で挟んで野縁受けに固定されて、係合凹部が野縁受け下方に突出しており、互いに間隔を隔てて対向する長尺状の矩形板材である一対のベース板部と、一対のベース板部間を幅方向中間にて連結する補強板部と、一対のベース板部の幅方向一側縁にてベース板部の外方に垂直に延びる一対の上フランジ部と、上フランジ部の反対側に延びて両内側縁間に長手方向に延びる隙間が配設された一対の内フランジ部と、一対のベース板部の幅方向他側縁にてベース板部の外方に垂直に延びる一対の下フランジ部とを設けた複数の連結部材が、一対の内フランジ部にて一対の係合凹部に挿嵌されることにより固定部材に支持されて、野縁受けに対して直交して延設され、連結部材間にて、上フランジ部と下フランジ部との間に天井材が両側縁にて挿嵌されて支持されることにある。
【０００７】
上記のように構成した本考案においては、複数の野縁受けの所定位置に固定部材がそれぞれ逆Ｕ字状に被せられて、一対の挟持片で挟むと共に、係合凹部が野縁受け下方に突出した状態で野縁受けに固定され、連結部材が一対の内フランジ部にて一対の係合凹部に挿嵌されることにより固定部材に強固に支持されて、野縁受けに対して直交して延設される。対向する各連結部材の上フランジ部と下フランジ部との間に、天井材が両側縁にて挿嵌されて連結部材間に簡易かつ強固に支持される。その結果、本考案においては、天井材の取付強度が強化されることにより、地震等に対する天井材の落下事故を簡易かつ確実に防止できる。また、本考案においては、天井材の野縁受けへの取り付けが簡易に行われると共に、必要な部材も安価な連結部材と固定部材のみでよいため、天井材の取付構造を安価に達成できる。
【０００８】
また、本考案において、連結部材の下フランジ部側にて、長尺板状の被覆部材が連結部材に一体又は別体で取り付けられることが好ましい。これにより、被覆部材によって連結部材のベース板部の下側縁の開口部分が覆われ、被覆部材によって連結部材に簡易に装飾を施すこともできるため、天井面を室内側から見る者に美観を与えることができる。
【０００９】
また、本考案において、連結部材のベース板部の下側縁にてベース板部の内方に突出する係止突起を設け、被覆部材が、一表面の幅方向両側にて突出して長手方向に延びた弾性変形可能な一対の係止爪を設け、一対の係止爪を係止突起に着脱可能に係止させることにより連結部材に取り付けられてもよい。このように、被覆部材をその一対の係止爪を弾性変形させながら連結部材の係止突起に係止させることにより、被覆部材をワンタッチで簡単に連結部材の他側縁に取り付けることができる。
【００１０】
また、本考案において、被覆部材を照明部材とすることができる。これにより、天井面にＬＥＤ照明のような照明部材が簡単に取り付けられる。
【考案の効果】
【００１１】
本考案においては、天井材の野縁受けへの取り付けが連結部材と固定部材により簡易に行われ、また必要な部材も連結部材と固定部材のみでよいため、地震等に対する取付強度が大きい天井材の取付構造を安価に達成できる。また、本考案によれば、被覆部材を連結部材に取り付けることにより、連結部材を簡単に装飾することができ、さらに被覆部材を照明部材とすることにより、天井面に照明部材を簡単に取り付けることができる。
【図面の簡単な説明】
【００１２】
【図１】本考案の一実施例である天井材の取付構造を採用したシステム天井を天井側からみた斜視図である。
【図２】同取付構造を採用したシステム天井を室内側からみた斜視図である。
【図３】同取付構造の一部を示す断面図である。
【図４】同取付構造を示す図３のＩＶ−ＩＶ線方向の断面図である。
【図５】固定部材を示す正面図及び側面図である。
【図６】連結部材を示す正面図、側面図及び平面図である。
【図７】連結部材とＬＥＤ照明部材とが連結された状態を示す正面図である。
【図８】被覆部材を示す正面図、側面図及び平面図である。
【図９】被覆部材の連結部材への取付部分を示す断面図である。
【考案を実施するための形態】
【００１３】
以下、本考案の実施の形態について説明する。図１は一実施例である天井材の取付構造を適用したシステム天井を天井裏からみた斜視図により概略的に示し、図２は、システム天井を室内からみた斜視図により概略的に示したものである。図３及び図４は、天井材の取付構造を断面図及びＩＶ−ＩＶ線方向の断面図により詳細に示したものである。
【００１４】
システム天井は、図１に示すように、天井から鉄製の複数の吊りボルト１が縦横に互いに所定の間隔で垂下しており、その下端に溶融亜鉛メッキされた鉄製のＵ字状のハンガー２が取り付けられている。ハンガー２には、溶融亜鉛メッキされた鉄製の長尺の薄板である複数の野縁受け３が固定されて、互いに平行にかつ水平に延びた状態で配設されている。なお、吊りボルト１の長さが例えば１５００ｍｍより長い場合には、吊りボルト１を水平補強材や斜め補強材で補強することもできる。野縁受け３は、図４に示すように、幅方向の両側を同一方向に直角に折り曲げてわずかに延びた係合片３ａを有するコ字状の部材であり、係合片３ａを上下に向けた状態でハンガー２に嵌め合わされて吊りボルト１により支持されている。
【００１５】
野縁受け３には、ハンガー２の近傍位置に連結部材２１を固定するための固定部材１１が着脱可能に取り付けられるようになっている。固定部材１１は、図５に示すように、溶融亜鉛メッキされた鉄製の基部１２を有している。基部１２は、長方形長尺板の長手方向中間の２か所で同一方向に直角に折り曲げて形成された縦長のＵ字状であって、互いに対向する一対の挟持片１３と、これを連結する短い連結片１４とを有している。挟持片１３は、野縁受け３の厚さよりわずかに長く、先端近傍位置にて幅方向両側が矩形状に切欠かれた係合凹部１５になっており、長手方向の中間に取付ビス１８が螺着される取付孔１３ａを有している。連結片１４は、野縁受け３の係合片３ａと略同一長さで、中央に調整ボルト１７が螺着される中央孔１４ａを設けている。固定部材１１は、基部１２を野縁受け３に逆Ｕ字状に被せて一対の挟持片１３で挟み、調整ボルト１７で高さ調節され、取付孔１３ａを通して取付ビス１８で締め付けることにより野縁受け３に固定され、この状態で、固定部材１１の係合凹部１５が野縁受け３の下側に隣接して配置されている。
【００１６】
野縁受け３に取り付けられた固定部材１１の下端側には、アルミニウム板製の長尺状の連結部材２１が配設されている。連結部材２１は、図６に示すように、互いに平行に対向する長尺状の矩形板材である一対のベース板部２２を有しており、一対のベース板部２２の内側面の幅方向両端から離間した２か所に両内側面間を連結する一対の補強板部２３を有している。ベース板部２２の幅方向一側縁（図６（ａ）の上縁）でかつ長手方向全体には、ベース板部２２に対して直角に外方に延びた上フランジ部２４が設けられている。また、上フランジ部２４と反対に内方にわずかに延びた内フランジ部２５が設けられており、一対の内フランジ部２５の内縁間が長手方向に延びた隙間２６になっている。
【００１７】
ベース板部２２の幅方向他側縁（図６（ａ）の下縁）でかつ長手方向全体には、ベース板部２２に対して垂直に外方に延びた下フランジ部２７が設けられている。下フランジ部２７は、上フランジ部２４と同一長さであり、その外縁にて上フランジ部２４側に直角に折り曲げられてわずかに延びる曲げ部２７ａになっており、曲げ部２７ａの上縁にて内方にわずかに延びた折り返し部２７ｂになっている。上フランジ部２４と折り返し部２７ｂの間の寸法は、天井材５の厚さよりわずかに大きくなっており、その間に天井材５が嵌め合わされるようになっている。ベース板部２２の他側縁の開口２８には、長手方向全体にて内方にわずかに突出した係止突起２９が設けられている。連結部材２１は、固定部材１１の両係合凹部１５に内フランジ部２５を挿嵌させることにより固定部材１１に抜けないように取り付けられる。
【００１８】
ベース板部２２の幅方向他側縁の開口２８には、図３に示すように、樹脂製で長尺の被覆部材であるＬＥＤ照明部材３１が着脱可能に取り付けられている。ＬＥＤ照明部材３１は、図７に示すように、中空の筒状で幅が下フランジ部２７より狭くかつ開口２８より広くなっている内部にＬＥＤが収容された基部３２と、基部３２の一表面（図７の上面）に開口２８とほぼ同一幅で一対の係止爪３３が突出して設けられており、係止爪３３が弾性変形することにより係止突起２９に係止可能になっている。ＬＥＤ照明部材３１は、図７に示すように、連結部材２１の開口２８に挿嵌されて一対の係止爪３３の弾性変形により係止突起２９に係止させることにより、ワンタッチで連結部材２１に着脱可能に取り付けられる。
【００１９】
互いに対向する一対の連結部材２１間には、図１、図３に示すように、断熱材からなる複数の長尺状の長方形の天井材５が挿嵌されており、その上面の一部にて野縁受け３の係合片３ａにジェル状の接着剤６により貼り付けられている。天井材５は、イソシアヌレートフォーム等の合成樹脂発砲体あるいはそれにガラス繊維等が分散された材料からなる厚板（商品名：サーマックス、株式会社イノアック製）の片面に、アルミニウム箔からなる面材が積層されたものが非常に軽量であり、地震等による落下のおそれが非常に少ないため好適に用いられる。
【００２０】
天井材５の長手方向両端には、長さの短い連結部材２１Ａが、天井材５に嵌め合わされて連結部材２１間に配設されており、連結部材２１との間が固定具７により連結されている。連結部材２１Ａが配置される箇所は、ＬＥＤ照明部材３１が不要であるため、ＬＥＤ照明部材３１の代わりに照明なしのアルミニウム製の被覆部材３６が取り付けられている。被覆部材３６は、図１０に示すように、開口２８よりわずかに幅が広い長尺状の基板３７の一表面（図１０の上面）に、開口２８とほぼ同一幅で一対の係止爪３８が突出して設けられており、弾性変形により係止突起２９に係止可能になっている。被覆部材３６は、図１１に示すように、一対の係止爪３８の弾性変形により係止突起２９に係止するため、ワンタッチで連結部材２１Ａに取り付けられる。
【００２１】
次に、実施例に係る天井材５の取付構造についての取り付け手順を説明する。
図３に示すように、複数の固定部材１１が野縁受け３の予め決められた所定位置に逆Ｕ字状に被せられる。固定部材１１は、係合凹部１５が野縁受け３の直下になるように調整ボルト１７によって高さ調節され、取付ビス１８により位置決め固定される。つぎに、固定部材１１に沿って予めＬＥＤ照明部材３１が取り付けられている連結部材２１が配置され、一対の内フランジ部２５が固定部材１１の係合凹部１５に挿嵌されることにより、固定部材１１に取り付けられる。この状態で、対向する連結部材２１間には、天井材５が両連結部材２１の上フランジ部２４と下フランジ部２７の間に挿嵌されることにより簡易に取り付けられ、さらに天井材５上面に予め貼り付けられた接着剤６により、天井材５が野縁受け３に貼り付け固定される。さらに、予め被覆部材３６が取り付けられている連結部材２１Ａが天井材５に嵌め合わされて連結部材２１間に配設され、連結部材２１との間が固定具７により連結される。
【００２２】
上記実施例においては、天井材５の取付強度が強化されることにより、地震等に対する天井材５の落下事故を簡易かつ確実に防止できる。また、本実施例においては、天井材５の野縁受け３への取り付けが簡易に行われると共に、必要な部材も安価な固定部材１１、連結部材２１及び連結部材２１Ａのみでよいため、天井材５の取付構造を安価に達成できる。
【００２３】
また、本実施例においては、ＬＥＤ照明部材３１を、その一対の係止爪３３を弾性変形させながら連結部材２１の係止突起２９に係止させることにより、ワンタッチで簡単に着脱可能に連結部材２１の他側縁に取り付けることができる。その結果、本実施例においては、従来の天井材には取り付けが困難であったＬＥＤ照明部材３１を、非常に簡易に天井材５に配設させることができるので好適である。また、被覆部材３６も、ＬＥＤ照明部材３１と同様に、一対の係止爪３８を弾性変形させながら連結部材２１の係止突起２９に係止させることにより、ワンタッチで簡単に着脱可能に連結部材２１の他側縁に取り付けることができ、連結部材２１に被覆部材３６により簡易に装飾を施すことができる。その結果、本実施例においては、ＬＥＤ照明部材３１や被覆部材３６によって天井面を簡易に装飾できるため、室内側から天井面を見る者に美観を与えることができる。
【００２４】
なお、上記実施例においては、ＬＥＤ照明部材３１や被覆部材３６は連結部材２１にワンタッチで着脱可能に取り付けられているが、これに限らず成形や接着等によって連結部材に一体で取付られるようにしてもよい。なお、上記実施例において、システム天井の具体的形状、材質等については特に限定されるものではなく、本考案の趣旨を逸脱しない範囲において種々変更して実施することができる。
【符号の説明】
【００２５】
１…吊りボルト、３…野縁受け、５…天井材、６…接着剤、１１…固定部材、１３…挟持片、２１，２１Ａ…連結部材、２２…ベース板部、２４…上フランジ部、２５…内フランジ部、２７…下フランジ部、２９…係止突起、３１…ＬＥＤ照明部材、３２…基部、３３…係止爪、３６…被覆部材、３８…係止爪。
【図１】
0003172917.tif 000003
【図２】
0003172917.tif 000004
【図３】
0003172917.tif 000005
【図４】
0003172917.tif 000006
【図５】
0003172917.tif 000007
【図６】
0003172917.tif 000008
【図７】
0003172917.tif 000009
【図８】
0003172917.tif 000010
【図９】
0003172917.tif 000011